(57)【特許請求の範囲】
【請求項１】
録音動作中の音声入力を電気的な音声信号に変換する音声入力手段と、
上記音声入力手段に対して平衡型伝送路を経由して給電を行う給電手段と、
上記音声信号を増幅する増幅手段と、
上記平衡型伝送路に印加する給電電圧を生成および上記給電手段に出力する昇圧手段と、
上記昇圧手段の出力電圧を可変制御する出力電圧可変手段と、
上記給電手段および上記出力電圧可変手段を制御することにより、上記給電手段の給電電圧を制御する制御手段と、
上記昇圧手段より上記給電手段に出力される出力電流を検出する出力電流検出手段と、
を具備し、
上記制御手段は、上記出力電圧可変手段を制御して、上記昇圧手段の出力電圧を概略一定間隔で連続的に増加または減少させることにより、所定時間内に所定の目標電圧を上記給電手段へ出力し、
上記出力電流検出手段の出力に基づいて、上記出力電圧可変手段を制御して、上記昇圧手段の出力電圧の増加割合または減少割合を制御し、第１の目標電圧に設定した状態で上記出力電流検出部の出力が所定値よりも小さい場合に、上記第１の目標電圧よりも低い第２の目標電圧に設定する、
ことを特徴とする音声記録再生装置。
【請求項２】
上記一定間隔とは、上記出力電圧可変手段の出力電圧可変制御に用いる最小単位時間であり、
上記制御手段は、上記所定の目標電圧を所定時間で均等割りしたときの最小単位電圧を連続的に増加または減少させることにより、出力電圧を可変させて所定の目標電圧まで至らせることを特徴とする請求項１に記載の音声記録再生装置。
【請求項３】
上記制御手段は、録音動作中は、上記出力電圧可変手段による上記給電手段への出力電圧可変制御を禁止することを特徴とする請求項１又は２に記載の音声記録再生装置。
【発明の詳細な説明】
【技術分野】
【０００１】
本発明は、外部マイク専用の給電機能を備えた音声記録再生装置に関する。
【背景技術】
【０００２】
音声信号をデジタルデータに変換し、フラッシュメモリ等の書き換え可能な記録媒体に記録し、この記録された音声データを読み出してアナログ化し、再生する携帯型の音声記録再生装置（以下、ＩＣレコーダと称す）が、１９９０年代の後半から本格的に実用化され、今日に至るまで種々のＩＣレコーダが製品化されている。
【０００３】
一方、フラッシュメモリの飛躍的な高容量化が進み、近年のＩＣレコーダは、高音質のＰＣＭ録音が主流になりつつある。しかも、原音録音への強いこだわりからノイズ耐性に優れた外部マイク接続端子（通称、ＸＬＲジャックまたはキャノンジャック）と接続するためメス側端子を備えたプロ志向のＩＣレコーダが製品化されている。
【０００４】
外部マイクの多くは、３本の芯線、すなわち、ＨＯＴ、ＣＯＬＤ、ＧＮＤで構成される平衡型ケーブルを備えている。また、平衡型ケーブルの一端には、外部マイク接続端子のオス側端子を備えている。上述の３本の芯線のうちＨＯＴとＣＯＬＤの２本の芯線は、外部マイクへの給電を兼ねており、ＨＯＴとＣＯＬＤの２本の芯線に直流を重畳させる給電手法を一般に「ファントム電源」と称する。このファントム電源については、電子情報技術産業協会が制定したＪＥＩＴＡ  ＲＣ−８１６２Ｂ  （マイクロフォンの電源供給方式）に規定されている。
【０００５】
上述の２本の芯線のうちのＨＯＴとＣＯＬＤが接続されるメス側は、高インピーダンスの差動入力アンプ回路（通称、計装アンプ）が設けられている。このため、外部マイクへの給電開始時または給電停止時には、ＨＯＴとＣＯＬＤの２本の芯線、および差動入力アンプを構成するコンデンサと抵抗に流れる電流の急峻な変化により、差動入力アンプ回路の絶対最大定格を超えるような大きな過渡電圧が生じ易くなる。
【０００６】
このような過渡電圧は、機器に悪影響を与えることから過渡電圧の抑制が提案されている。例えば、特許文献１に開示の信号増幅装置では、ファントム電源が接続された平衡型マイクアンプの入力回路に、受動素子回路（ＣＲ積分回路）を併設し、過渡応答電圧（クリック、ポップノイズともいう）を抑制するようにしている。
【先行技術文献】
【特許文献】
【０００７】
【特許文献１】特開平９−７４３３３号公報
【発明の概要】
【発明が解決しようとする課題】
【０００８】
特許文献１に開示の信号増幅装置では、受動素子回路を併設することにより過渡電圧を抑制することができる。しかし、一般に、微小な音声信号が通過する入力回路に受動素子回路を併設すると、例えば、その時定数精度がクロストーク、Ｓ／Ｎ、および周波数特性等のオーディオ性能に悪影響を及ぼすことがある。また、このような受動素子は、可聴帯域に被るノイズを自ら発生するので、マイクアンプのような高ゲインの入力回路に好ましくない。さらに、受動素子の電気的特性上のばらつき（公差）を精度よく揃えることは困難である。このため、特許文献１に開示されるような受動素子回路を併設する方法は、オーディオ性能が損なわれる等、録音品質が低下してしまう。
【０００９】
本発明は、このような事情を鑑みてなされたものであり、音声等の録音対象の録音品質を最適化することのできる音声記録再生装置を提供することを目的とする。
【課題を解決するための手段】
【００１０】
上記目的を達成するため第１の発明に係わる音声記録再生装置は、録音動作中の音声入力を電気的な音声信号に変換する音声入力手段と、上記音声入力手段に対して平衡型伝送路を経由して給電を行う給電手段と、上記音声信号を増幅する増幅手段と、上記平衡型伝送路に印加する給電電圧を生成および上記給電手段に出力する昇圧手段と、上記昇圧手段の出力電圧を可変制御する出力電圧可変手段と、上記給電手段および上記出力電圧可変手段を制御することにより、上記給電手段の給電電圧を制御する制御手段と、上記昇圧手段より上記給電手段に出力される出力電流を検出する出力電流検出手段と、を具備し、上記制御手段は、上記出力電圧可変手段を制御して、上記昇圧手段の出力電圧を概略一定間隔で連続的に増加または減少させることにより、所定時間内に所定の目標電圧を上記給電手段へ出力し、上記出力電流検出手段の出力に基づいて、上記出力電圧可変手段を制御して、上記昇圧手段の出力電圧の増加割合または減少割合を制御し、第１の目標電圧に設定した状態で上記出力電流検出部の出力が所定値よりも小さい場合に、上記第１の目標電圧よりも低い第２の目標電圧に設定する。
【００１３】
第２の発明に係わる音声記録再生装置は、上記第１の発明において、上記一定間隔とは、上記出力電圧可変手段の出力電圧可変制御に用いる最小単位時間であり、上記制御手段は、上記所定の目標電圧を所定時間で均等割りしたときの最小単位電圧を連続的に増加または減少させることにより、出力電圧を可変させて所定の目標電圧まで至らせる。
【００１４】
第３の発明に係わる音声記録再生装置は、上記第１又は第２の発明において、上記制御手段は、録音動作中は、上記出力電圧可変手段による上記給電手段への出力電圧可変制御を禁止する。
【発明の効果】
【００１５】
本発明によれば、音声等の録音対象の録音品質を最適化することのできる音声記録再生装置を提供することができる。
【図面の簡単な説明】
【００１６】
【図１】本発明の一実施形態に係わるＩＣレコーダの外部マイクへの給電機能の概略を示したブロック図である。
【図２】本発明の一実施形態に係わるＩＣレコーダの電気的構成を示すブロック図である。
【図３】本発明の一実施形態に係わるＩＣレコーダのマイク、マイクアンプ、マイク専用電源部、給電部、および平衡型ケーブルに相当する機能ブロック図である。
【図４】本発明の一実施形態に係わるＩＣレコーダの全体動作を示すフローチャートである。
【図５】本発明の一実施形態に係わるＩＣレコーダの録音処理の動作を示すフローチャートである。
【図６】本発明の一実施形態に係わるＩＣレコーダのマイク給電処理の動作を示すフローチャートである。
【図７】本発明の一実施形態に係わるＩＣレコーダのＶｉｎ⇒４８Ｖ電圧可変処理の動作を示すフローチャートである。
【図８】本発明の一実施形態に係わるＩＣレコーダの４８Ｖ⇒Ｖｉｎ電圧可変処理の動作を示すフローチャートである。
【図９】本発明の一実施形態の変形例に係わるＩＣレコーダのＶｉｎ⇒４８Ｖ又は２４Ｖ電圧可変処理の動作を示すフローチャートである。
【図１０】本発明の一実施形態および変形例に係わるＩＣレコーダにおいて、電圧可変処理を実行する際の給電電圧Ｖｏｕｔの出力の変化を示すタイムチャートである。
【発明を実施するための形態】
【００１７】
以下、図面に従って本発明を適用したＩＣレコーダを用いて好ましい実施形態について説明する。図１は、本発明の一実施形態に係わるＩＣレコーダの外部マイクへの給電機能の概略を示したブロック図である。
【００１８】
音声入力手段６は、録音動作中の音声入力を電気的な音声信号に変換する機能を有する。音声入力手段６によって変換された音声信号は平衡型伝送路ＢＷを経由して増幅手段７に出力される。給電手段５は、音声入力手段６に対して平衡型伝送路ＢＷを経由して給電電圧Ｖｏｕｔで給電を行う機能を有する。増幅手段７は、音声信号を所定ゲインで増幅し、後段の量子化部に出力する。
【００１９】
昇圧手段１は、平衡型伝送路ＢＷに印加する給電電圧Ｖｏｕｔを生成し、給電手段５に出力する機能を有する。すなわち、図示しない電池等の低電圧Ｖｉｎを、前述した平衡型伝送路ＢＷに印加する給電電圧Ｖｏｕｔに昇圧し、出力電流検出手段２を介して、給電手段５に出力する。出力電圧可変手段３は、出力が昇圧手段１に接続されており、昇圧手段１の出力電圧を可変制御する機能を有する。
【００２０】
制御手段４は、給電手段５および出力電圧可変手段３を制御することにより、給電手段５の給電電圧Ｖｏｕｔを制御する。また、制御手段４は、出力電圧可変手段３を制御して、昇圧手段１の出力電圧を概略一定間隔で連続的に増加または減少させることにより、所定時間内に所定の目標電圧を給電手段５に出力する。この目標電圧までの給電動作の詳細については、図６ないし図８に示すフローチャートを用いて後述する。
【００２１】
出力電流検出手段２は、昇圧手段１より給電手段５に出力される出力電流を検出する。具体的には、出力電流検出手段２は、給電手段５、平衡型伝送路ＢＷ、および音声入力手段６を経由して昇圧手段１に環流する電流を検出する。
【００２２】
また、制御手段４が昇圧手段１の出力電圧を連続的に増加または減少させる際の上記一定間隔は、出力電圧可変手段の出力電圧可変制御に用いる最小単位時間である。制御手段４は、所定の目標電圧を所要時間で均等割りしたときの最小単位電圧を連続的に増加または減少させることにより、出力電圧を可変させて所定の目標電圧まで至らせる。この目標電圧までの可変制御の詳細については、図７のステップＳ９３、Ｓ９７、図８のステップＳ１１３、および図１０において後述する。
【００２３】
また、制御手段４は、録音動作中は、出力電圧可変手段３による給電手段５への出力電圧可変制御を禁止する。この出力電圧可変制御の禁止の詳細については、図５のステップＳ５１およびステップＳ６９において後述する。
【００２４】
次に、図２を用いて、本実施形態に係わるＩＣレコーダの概略的な全体構成を説明する。マイク（ＭＩＣ）２０は、図１における音声入力手段６に相当し、コンデンサマイク等により音声をアナログ音声信号に変換する。マイク２０の出力は、平衡型ケーブル３７を介して音声入力部３３のマイクアンプ（ＡＭＰ）２１に接続されている。
【００２５】
音声入力部３３内には、前述のマイクアンプ２１の他に、マイクアンプ２１に接続されたローパスフィルタ（ＬＰＦ）２２と、このローパスフィルタ２２に接続されたＡ／Ｄ変換器（ＡＤＣ）２３が設けられている。マイクアンプ２１は、前述の増幅手段７としての機能を有し、アナログ音声信号を所定レベルまで増幅し、ローパスフィルタ２２は不要な周波数成分をカットし、Ａ／Ｄ変換器２３は、不要な周波数成分をカットしたアナログ音声信号をデジタル音声信号（量子化データ）に変換する。なお、図２においては、内蔵マイクを省略してあるが、内蔵マイクを備えている場合には、内蔵マイクの出力がマイクアンプ２１に平衡ケーブル３７を介すことなく、直接入力するように接続する。
【００２６】
Ａ／Ｄ変換器２３の出力は、デジタル信号処理部（ＤＳＰ）２８に接続されている。デジタル信号処理部２８は、デジタル音声信号をフレーム単位で所定の符号化フォーマットの音声データに符号化（圧縮）する。デジタル信号処理部２８と制御部２９は接続されており、符号化された音声データはシステム制御部２９の図示しないバッファメモリに一時記憶される。
【００２７】
録音時は、デジタル信号処理部２８における符号化と、バッファメモリへの音声データの一時記憶動作が連続的に行われる。バッファメモリに記憶された音声データは、ＦＩＦＯ（First In First Out）の手順で記憶部（メモリ）３２に順次記録される。再生時には、システム制御部２９がバッファメモリに、記憶部３２からＦＩＦＯ（First In First Out）の手順で音声データを順次読出し、デジタル信号処理部２８に音声データを出力する。デジタル信号処理部２８は、フレーム単位で所定の復号化フォーマットのデジタル音声信号に復号化（伸張）する。
【００２８】
デジタル信号処理部２８は、音声出力部３４内のＤ／Ａ変換器（ＤＡＣ）２４に接続されている。音声出力部３４内には、Ｄ／Ａ変換器２４の他に、Ｄ／Ａ変換器２４に接続されたローパスフィルタ２５と、このローパスフィルタ２５に接続されたパワーアンプ（ＡＭＰ）２６が設けられている。Ｄ／Ａ変換器２４は、デジタル信号処理部２８によって復号化されたデジタル音声信号をアナログ音声信号に変換する。ローパスフィルタ２５は、不要な周波数帯域をカットする。パワーアンプ２６は、不要な周波数帯域がカットされたアナログ音声信号を増幅し、スピーカ２７に出力する。スピーカ２７は、アナログ音声信号を音声に変換し出力する。
【００２９】
制御手段４としての機能を果たすシステム制御部２９は、ＣＰＵ（Central Processing Unit）とその周辺回路で構成され、前述のデジタル信号処理部２８および記憶部３２の他に、表示部３０、操作部３１、マイク専用電源部３５、および給電部３６が接続されている。システム制御部２９内には、Ａ／Ｄ変換器（不図示）が設けられており、電池電圧Ｖｉｎの検出を行う。システム制御部２９は、フラッシュメモリ等の不揮発性メモリに記憶されたプログラムに従って、ＩＣレコーダ全体の制御を行う。
【００３０】
操作部３１は、録音スイッチ（ＲＥＣ）、再生スイッチ（ＰＬＡＹ）、停止スイッチ（ＳＴＯＰ）、早送りスイッチ（ＦＦ）、早戻しスイッチ（ＲＥＷ）、メニュースイッチ（ＭＥＮＵ）、ホールドスイッチ（ＨＯＬＤ）、外部マイク切換えスイッチ（ＭＩＣＰＷＲ）等の各種スイッチが機能別に配列されている。外部マイク切換えスイッチは、ＩＣレコーダ本体に設けられており、外部マイク（マイク２０）を装着した際に、この外部マイクを動作可能とするためのスイッチである。したがって、外部マイクが装着されても、外部マイク切換えスイッチが操作されていないと、外部マイクによる録音はできない。操作部３１は、これらのスイッチの操作状態を検知し、この検知信号をシステム制御部２９に出力する。システム制御部２９は、検知信号を入力すると、前述のプログラムに従って、所定のシーケンスを実行する。
【００３１】
表示部３０は、操作部３１のいずれかのスイッチ操作により、所定のシーケンスが開始されたときの動作モード、またはその後の動作状態を表示する。例えば録音スイッチ（ＲＥＣ）が操作された場合には、録音の経過時間、録音可能な残り時間、およびファイルナンバ等を表示する。またメニュースイッチ（ＭＥＮＵ）が操作された場合には、マイク感度（高／低）、録音モード（標準／ロング）、およびアラーム（オン／オフ）等の機能選択に関連した表示を行う。さらに、システム制御部２９が時計機能を有しているときは、現在の日時表示も行う。
【００３２】
マイク専用電源部３５は、図１に示す昇圧手段１、出力電流検出手段２、および出力電圧可変手段３に相当し、電池電圧Ｖｉｎを昇圧し、この昇圧電圧をシステム制御部２９からの指示に従って可変する。給電部３６は、図１に示す給電手段５に相当し、平衡型ケーブル３７を経由してマイク２０に給電電圧Ｖｏｕｔを印加する。
【００３３】
マイク専用電源部３５、給電部３６、マイク２０、マイクアンプ２１、および平衡型ケーブル３７について、図３に示すブロック図を用いて更に詳しく説明する。
【００３４】
マイク２０に相当する外部マイク４７は、コンデンサマイクユニットＥＣＭ、定電圧素子Ｒｅｇ、正相側ＤＣカット用コンデンサＣｅｃｍｈ、逆相側ＤＣカット用コンデンサＣｅｃｍｃ、正相側給電抵抗Ｒｅｃｍｈ、逆相側給電抵抗Ｒｅｃｍｃ、およびアンプＥＣＭａｍｐで構成される。コンデンサマイクユニットＥＣＭから出力されるアナログ音声信号は、アンプＥＣＭａｍｐで増幅され、ＧＮＤ基準の平衡信号として、正相（ＨＯＴ）および逆相（ＣＯＬＤ）の各信号線に出力される。この外部マイク４７は、図１の音声入力手段６としての機能を果たす。
【００３５】
平衡型ケーブル３７に相当するマイクケーブル４８は、ＨＯＴ、ＣＯＬＤ、ＧＮＤの３本の芯線を有し、外部マイク４７のＨＯＴ、ＣＯＬＤ、ＧＮＤの各端子と、マイクプリアンプ５０のＨＯＴ、ＣＯＬＤ、ＧＮＤの各端子を接続する。
【００３６】
マイクプリアンプ５０は、図２のマイクアンプ２１に相当し、図１の増幅手段７としての機能を果たす。マイクアンプ５０は、両電源（Ｖ＋、Ｖ−）を供給する計装アンプＩＮＳＴａｍｐ、正相側ＤＣカット用コンデンサＣｉｎｈ、逆相側ＤＣカット用コンデンサＣｉｎｃ、正相側入力バイアス抵抗Ｒｉｎｈ、および逆相側入力バイアス抵抗Ｒｉｎｃで構成される。マイクケーブル４８の３本の芯線を伝搬してきたアナログ音声信号は、コネクタ４９を介して、正相（ＨＯＴ）および逆相（ＣＯＬＤ）の各音声信号が計装アンプＩＮＳＴａｍｐに入力され、所定ゲインでＶａｍｐに増幅される。なお、コネクタ４９としては、例えば、ノイズ耐性に優れたＸＬＲジャックを使用する。
【００３７】
図２に示した給電部３６に相当し、図１に示した給電手段５としての機能を果たす給電分配回路４６は、ローパスフィルタ（ＬＰＦ）回路４５、ダイオードＤｐｔｍ、ＦＥＴ１〜ＦＥＴ４、正相側給電抵抗Ｒｐｔｍ２、Ｒｐｔｍ４、および逆相側給電抵抗Ｒｐｔｍ１、Ｒｐｔｍ３で構成される。ローパスフィルタ回路４５は、給電電圧Ｖｏｕｔに重畳した可聴帯域のスイッチングノイズを効果的に除去する。ダイオードＤｐｔｍは、外部機器の誤接続等により、正相（ＨＯＴ）および逆相（ＣＯＬＤ）に不用意に高電圧が印加されたときの逆流防止用である。
【００３８】
給電分配回路４６中のＦＥＴ１〜ＦＥＴ４は、正相（ＨＯＴ）および逆相（ＣＯＬＤ）の各信号線への給電を択一的にオンまたはオフする。例えば、ＦＥＴ１およびＦＥＴ２を４８Ｖ系に、ＦＥＴ３およびＦＥＴ４を２４Ｖ系に割り当てると、４８Ｖの給電を制御信号ＣＮＴｐｔｍＬで制御することができる。同様に、２４Ｖの給電を制御信号ＣＮＴｐｔｍＲで制御することができる。このように、４８Ｖ系と２４Ｖ系を割り当てた場合には、各系統の抵抗値は、前述したＪＥＩＴＡ  ＲＣ−８１６２Ｂの規格に従うと、Ｒｐｔｍ１＝Ｒｐｔｍ２＝６．８ｋΩ、Ｒｐｔｍ３＝Ｒｐｔｍ４＝１．２ｋΩとなる。
【００３９】
図２に示すマイク専用電源部３５に相当するファントム電源用昇圧回路４０は、昇圧回路４１、Ｄ／Ａ変換器（ＤＡＣ）４３、および出力電流検出回路４２で構成される。昇圧回路４１は図１に示す昇圧手段１としての機能を果たし、Ｄ／Ａ変換器４３は図１に示す出力電圧可変手段３としての機能を果たし、出力電流検出回路４２は出力電流検出手段２としての機能を果たす。また、図２に示すシステム制御部２９に相当し、図１に示す制御部１としての機能を果たすＣＰＵ４４は、出力電流検出回路４２から検知信号を入力し、昇圧電圧制御信号をＤ／Ａ変換器４３に出力する。
【００４０】
昇圧回路４１は、一般的に入手が容易なＰＷＭ制御型昇圧ＤＣ／ＤＣコンバータＩＣ（以下、昇圧ＩＣと称す）で構成した１ステージ昇圧回路であり、Ｄ／Ａ変換器４３と組み合わせることにより、給電電圧ＶｏｕｔをＶｉｎ〜４８Ｖの範囲で可変制御することができる。具体的には、昇圧ＩＣの図示しないＦＢ（出力電圧のフィードバック）端子に接続されたブリーダ抵抗の一端に、ＣＰＵ４４で制御されるＤ／Ａ変換器４３の出力電圧を注入することにより、給電電圧Ｖｏｕｔを緩やかに変化させる。例えば、Ｄ／Ａ変換４３が８ビット分解能のとき、最小単位電圧を０．３Ｖ／ＬＳＢ、最小単位速度を１４ｍｓ／ＬＳＢのような加減量・速度に設定すると、昇圧開始電圧（Ｖｏｕｔ≒Ｖｉｎ≒３．７Ｖ）から昇圧目標電圧（Ｖｏｕｔ＝４８Ｖ）到達までの所要時間は約２秒になる。上述の電池電圧Ｖｉｎの値は、リチウム電池の標準電圧の場合であるが、これ以外の電池電圧を用いるようにしても勿論かまわない。
【００４１】
給電電圧が急速に変化すると、マイクプリアンプ５０の入力段に接続されたコンデンサや抵抗に流れる電流の急峻な変化により、大きな過渡電圧が生じ易くなる。しかし、Ｄ／Ａ変換器４３および昇圧回路４１によって給電電圧Ｖｏｕｔを緩やかに変化させることにより、計装アンプＩＮＳＴａｍｐの各入力端子に生じる過渡応答電圧（クリック、ポップノイズ）を効果的に抑制することができる。確実に過渡応答電圧を抑制するには、正相側ＤＣカット用コンデンサＣｉｎｈ、逆相側ＤＣカット用コンデンサＣｉｎｃ、正相側入力バイアス抵抗Ｒｉｎｈ、および逆相側入力バイアス抵抗Ｒｉｎｃの時定数よりも上述の最小単位速度を大きく設定すればよい。
【００４２】
なお、過渡応答特性の改善に直接的な影響はないものの、昇圧回路４１の後段に出力電流検出回路４２を配設することにより、外部マイク４７の消費電流Ｉｐｔｍを検出することができる。ファントム電源用昇圧回路４０の消費電力は、給電電圧Ｖｏｕｔに比例して大きくなる。それゆえ、外部マイク４７の消費電流Ｉｐｔｍに見合った電力供給を行うことにより、電池寿命の改善等、使い勝手の向上ができる。外部マイク４７の消費電流Ｉｐｔｍが予め決められた所定値（Ｉｐｔｍ＜７．０ｍＡ，Ｖｏｕｔ＝４８Ｖ給電時）よりも小さい時は、給電電圧Ｖｏｕｔを２４Ｖ系に切換えればよい。上述の所定値は、Ｖｏｕｔ＝２４Ｖ給電時のマージンを考慮した概略計算（２４Ｖ／３．４ｋΩ）の一参考値であり、システム毎に、電池寿命条件が最良になるように、適宜数値を決めればよい。
【００４３】
次に、本発明の一実施形態であるＩＣレコーダの動作について、図４ないし図８に示すフローチャートを用いて説明する。これらのフロー（本実施形態の変形例である図９に示すフローも含む）は、不揮発性メモリに記憶されたプログラムに従って、システム制御部２９（ＣＰＵ４４）が実行する。
【００４４】
ＩＣレコーダの電源がオン状態になると、システム制御部２９は、所定の初期設定を行い（Ｓ１）、タイマをスタートさせる（Ｓ３）。後述するように、ステップＳ２１、Ｓ４１において、所定時間経過後にＩＣレコーダが通常の動作モードから待機モードに入る。ステップＳ３において、この所定時間を計時するためにタイマをスタートさせている。
【００４５】
タイマをスタートさせ、通常の動作モードに入ると、ステップＳ５〜Ｓ１９に示すスイッチ検出動作を操作部３１からの検出信号に基づいて行う。すなわち、操作部３１の各種スイッチのスイッチ検出動作により、録音スイッチ（ＲＥＣ）（Ｓ５）、再生スイッチ（ＰＬＡＹ）（Ｓ７）、早送りスイッチ（ＦＦ）（Ｓ９）、早戻しスイッチ（ＲＥＷ）（Ｓ１１）、停止スイッチ（ＳＴＯＰ）（Ｓ１３）、メニュースイッチ（ＭＥＮＵ）（Ｓ１５）、消去スイッチ（ＥＲＡＳＥ）（Ｓ１７）、外部マイク切換えスイッチ（ＭＩＣＰＷＲ）（Ｓ１９）の順に、オンしたスイッチがあるか否かを判定する。
【００４６】
ステップＳ５における判定の結果、録音スイッチがオンである場合には、次に、録音処理を行う（Ｓ２３）。また、ステップＳ７における判定の結果、再生スイッチがオンである場合には、再生処理を行う（Ｓ２５）。また、ステップＳ９における判定の結果、早送りスイッチがオンである場合には、早送り処理を行う（Ｓ２７）。また、ステップＳ１１における判定の結果、早戻しスイッチがオンである場合には、早戻し処理を行う（Ｓ２９）。
【００４７】
また、ステップＳ１３における判定の結果、停止スイッチがオンである場合には、停止処理を行う（Ｓ３１）。また、ステップＳ１５における判定の結果、メニュースイッチがオンである場合には、メニュー変更処理を行う（Ｓ３３）。またステップＳ１７における判定の結果、消去スイッチがオンである場合には、消去処理を行う（Ｓ３５）。また、ステップＳ１９における判定の結果、外部マイク切換えスイッチがオンである場合には、マイク給電処理を行う（Ｓ３７）。
【００４８】
上述のステップＳ２３〜Ｓ３７における各処理を行うと、ステップＳ３において計時動作を開始したタイマを再スタートさせ（Ｓ３９）、ステップＳ５に戻る。ステップＳ２３〜Ｓ３７における各処理は、周知の処理であることから、詳しい説明を省略する。ステップＳ２３における録音処理については図５を用いて、ステップＳ３７におけるマイク給電処理については図６を用いて、後述する。
【００４９】
ステップＳ５〜Ｓ１９におけるスイッチの状態判定の結果、すべてのスイッチがオフであった場合には、次に、タイムオーバか否かの判定を行う（Ｓ２１）。前述したように、ステップＳ３においてタイマがスタートし、またステップＳ２３〜Ｓ３７において各種処理を実行した場合には、ステップＳ３９においてタイマを再スタートさせている。このため、タイマがスタートから所定時間、もしくはスタート後、再スタートした場合には、再スタートから所定時間が経過すると、タイムオーバと判定される。この判定の結果、タイムオーバしていなかった場合には、ステップＳ５に戻り、通常の動作を続行する。
【００５０】
一方、ステップＳ１９における判定の結果、タイムオーバであった場合には、待機モードに入る（Ｓ４１）。待機モードに入ると低消費電流動作になる。具体的には、図２において、音声入力部３３、音声出力部３４、デジタル信号処理部２８、表示部３０、記憶部３２、電源マイク専用電源部３５、および給電部３６の電源を遮断、もしくは各ブロックを構成する図示しないＩＣに設けられているチップイネーブル端子に、システム制御部２９から非選択信号を出力する。これらの処理により低消費電流状態になる。このとき、システム制御部２９内のＣＰＵは、自らも動作クロックを最も消費電流の少ない低速クロックに切換えて低消費電流状態になる。場合によっては、動作クロックをメインクロック（例えば、１２，０００ＭＨｚ）からサブクロック（例えば、３２．７６８ｋＨｚ）に切換えて、その後、スイッチ入力が検出されるまでの間、メインクロックを完全に停止させてもよい。
【００５１】
待機モード中に、いずれかのスイッチが操作されると、待機モードを脱し、ステップＳ３に戻り、通常の動作を再開する。
【００５２】
次に、ステップＳ２３（図４参照）における録音処理の動作について、図５に示すフローチャートを用いて、図２〜図４を参照しながら説明する。録音処理を開始すると、まず、最初に外部マイクへの電圧可変処理を禁止する（Ｓ５１）。録音中に、外部マイク切換えスイッチが操作され、外部マイクに給電されると、外部マイクとしてのマイク２０に給電電圧Ｖｏｕｔが印加される。本実施形態においては、前述したようにマイク専用電源部３５によって徐々に電圧が昇圧され、プリアンプ２１に給電電圧Ｖｏｕｔが印加され、ポップノイズを抑圧している。しかし、録音時には、ノイズを最小限とするために、電圧可変処理を行わないようにしている。
【００５３】
外部マイクへの電圧可変処理を禁止すると、次に、録音開始時の各種情報をインデックス情報領域に記憶する（Ｓ５３）。ここでは、マイク感度（高／低）、録音モード（標準／ロング）、ファイルナンバ、録音モニタ（有／無）、および音声データを記憶する音声データ記憶領域開始アドレス等の各種情報を記憶する。
【００５４】
各種情報を記憶すると、次に、音声入力を行う（Ｓ５５）。ここでは、マイク２０から音声を入力し、アナログ音声信号を取得する。音声入力を行うと、次に、所定のサンプリング周波数で音声信号の量子化（Ａ／Ｄ変換）を行う（Ｓ５７）。ここでは、入力したアナログ音声信号を、所定のサンプリング周波数に同期したＡ／Ｄ変換器２３により量子化（Ａ／Ｄ変換）を行う。
【００５５】
音声信号の量子化を行うと、次に、デジタル信号処理部（ＤＳＰ）２８による音声符号化を行う（Ｓ５９）。音声データの符号化そのものは、フレーム単位で行われる。符号化された音声データは、システム制御部２９内の図示しないバッファメモリに順次格納される。
【００５６】
音声符号化を行うと、次に、所定フレーム数に達したか否かを判定する（Ｓ６１）。ここでは、ステップＳ５９における符号化されたフレーム数が所定数に達したか否かを判定する。例えば、１０ビット／フレームの音声信号を４ビット／フレームのまで符号化した音声データを記憶部３２に５１２バイト単位で書きこむ場合、所定フレーム数は１０２４になる。この判定の結果、所定フレーム数に達していなかった場合には、ステップＳ５５に戻り、所定フレーム数に達するまで、この処理を連続的に繰り返す。
【００５７】
ステップＳ６１における判定の結果、符号化した音声データが所定フレーム数に達すると、次に、音声データをメモリに記憶する（Ｓ６３）。ここでは、符号化した音声データを、記憶部３２の図示しない音声データ記憶領域開始アドレスから順に書き込んで記憶する。
【００５８】
音声データをメモリに記憶すると、次に、停止スイッチ（ＳＴＯＰ）がオンしたか否かを判定する（Ｓ６５）。ここでは、操作部３１からの検出信号に基づいて、停止スイッチがオン状態となったか否かを判定する。この判定の結果、停止スイッチがオフの場合には、ステップＳ５５に戻り、ステップＳ５５〜Ｓ５９において録音処理を続行する。
【００５９】
ステップＳ６５における判定の結果、停止スイッチがオンの場合には、録音終了処理として、録音終了時の各種情報をインデックス情報領域に記憶する（Ｓ６７）。続いて、外部マイクへの電圧可変処理を許可する（Ｓ６９）。前述したように、ステップＳ５１において、外部マイクへの電圧可変処理を禁止しており、ステップＳ６７において録音終了処理を行ったことから、以後、外部マイクへの電圧可変処理を許可するようにしている。外部マイクへの電圧可変処理を許可すると元のフローに戻る。
【００６０】
次に、ステップＳ３７（図４参照）におけるマイク給電処理の動作について、図６に示すフローチャートを用いて、図２〜図４を参照しながら説明する。マイク給電処理を開始すると、まず外部マイク切換えスイッチ（ＭＩＣＰＷＲ  ＳＷ）の状態が変化したか否かを判定する（Ｓ７１）。ここでは、操作部３１から外部マイク切換えスイッチの操作状態を示す検知信号に基づいて判定する。
【００６１】
ステップＳ７１における判定の結果、外部マイク切換えスイッチの状態が変化した場合には、次に、状態変化が、オン→オフであるか、オフ→オンであるか否かを判定する（Ｓ７３）。この判定の結果、オフ→オンであった場合には、次に、電池電圧Ｖｉｎを４８Ｖに昇圧する電圧可変処理を実行する（Ｓ７５）。ここでは、外部マイク切換えスイッチがオフからオンとなり、外部マイク（マイク２０）を動作状態とするために、電池電圧を４８Ｖに昇圧を開始する。ここでの昇圧動作は、昇圧回路４１およびＤ／Ａコンバータ４３等により、給電電圧Ｖｏｕｔを４８Ｖに達するまで緩やかに変化させる。この処理の詳細については、図７を用いて後述する。
【００６２】
電圧可変処理を行うと、次に、給電タイマをスタートさせる（Ｓ７７）。外部マイクに給電を行うと電池消耗が急速に進むことから、本実施形態においては、ステップＳ８５において判定される所定時間の間のみマイク給電を許可している。このステップでは、マイク給電時間を計時するための給電タイマをスタートさせている。
【００６３】
給電タイマをスタートさせると、次に、給電中か否かの判定を行う（Ｓ７９）。外部マイクに給電するための処理は、前述のステップＳ７５において開始され、４８Ｖに達すると自動的に停止され（図７のＳ９９参照）、また後述するステップＳ８５において所定時間が経過した場合か、ステップＳ８３において判定電圧Ｖｎｇよりも低下した場合にマイク給電が停止される。このステップにおいては、上述の条件を満たさず、給電動作を実行中であるか否かを判定する。
【００６４】
ステップＳ７９における判定の結果、給電中であった場合には、次に、電池電圧Ｖｉｎを検出する（Ｓ８１）。給電中は、電池消耗が急速に進むことから、バッテリチェックを常時行うようにしている。システム制御部２９（ＣＰＵ４４）に内蔵される図示しないＡ／Ｄ変換器により、電池電圧Ｖｉｎを検出すると、続いて、電池電圧ＶｉｎがバッテリチェックＮＧ判定電圧Ｖｎｇより低いか（Ｖｉｎ＜Ｖｎｇ）否かを判定する（Ｓ８３）。外部マイク給電用に昇圧を行っても、バッテリチェックＮＧ判定電圧Ｖｎｇよりも低下した場合には、電池消耗による電池電圧の低下、または昇圧動作そのものに不具合が生じているので、給電動作を停止させる。
【００６５】
ステップＳ８３における判定の結果、電池電圧ＶｉｎがバッテリチェックＮＧ判定電圧Ｖｎｇよりも高い場合には、次に、給電タイマがオーバしたか否かを判定する（Ｓ８５）。ここでは、上述したステップＳ７７においてスタートした給電タイマが所定時間を計時したか否かを判定する。この判定の結果、給電タイマがオーバしていなかった場合には、元のフローに戻る。
【００６６】
ステップＳ７３における判定の結果、外部マイク切換えスイッチ（ＭＩＣＰＷＲ  ＳＷ）がオンからオフに切換えられた場合、またはステップＳ８３における判定の結果、電池電圧ＶｉｎがバッテリチェックＮＧ判定電圧Ｖｎｇより低い場合、またはステップＳ８５における判定の結果、給電タイマがオーバした場合には、次に、給電電圧Ｖｏｕｔを電池電圧Ｖｉｎに降圧させる電圧可変処理を行う（Ｓ８７）。ここで、外部マイク切換えスイッチがオフに切換えられた場合には、外部マイク（マイク２０）の使用が停止されたことから、外部マイクへの給電を停止するために電圧可変処理を行っている。また、バッテリチェックＮＧ判定電圧Ｖｎｇよりも低下した場合には、電池消耗による電池電圧の低下、または昇圧動作そのものに不具合が生じているので、給電動作を停止させる。また、給電タイマがオーバした場合には、電池消耗を防ぐために電圧可変処理を行っている。
【００６７】
ステップＳ８７における、給電電圧Ｖｏｕｔを電池電圧Ｖｉｎに降圧させる電圧可変処理は、昇圧回路４１およびＤ／Ａコンバータ４３等により、給電電圧Ｖｏｕｔを４８Ｖから電池電圧Ｖｉｎに達するまで緩やかに変化させる。この処理の詳細については、図８を用いて後述する。
【００６８】
ステップＳ８７におけるＶｉｎへの電圧可変処理を行うと、またはステップＳ８５における判定の結果、給電タイマがオーバした場合、またはステップＳ７９における判定の結果、給電中でない場合には、元のフローに戻る。
【００６９】
次に、ステップＳ７５（図６参照）におけるＶｉｎ⇒４８Ｖ電圧可変処理の動作について、図７に示すフローチャートを用いて、図２および図３を参照しながら説明する。Ｖｉｎ⇒４８Ｖ電圧可変処理を開始すると、まず給電電圧Ｖｏｕｔとして略電池電圧Ｖｉｎを設定する（Ｓ９１）。ここでは、Ｄ／Ａ変換器４３に、初期値として電池電圧Ｖｉｎを書き込み、昇圧開始電圧（Ｖｏｕｔ≒Ｖｉｎ）とする。なお、Ｄ／Ａ変換器４３に書き込む初期値は、Ｄ／Ａ変換器４３のビット数に応じて、電池電圧Ｖｉｎに近い値とする。
【００７０】
続いて、昇圧電圧の最小単位速度の設定を行う（Ｓ９３）。ここでは、昇圧開始電圧（Ｖｏｕｔ≒Ｖｉｎ）から昇圧目標電圧（Ｖｏｕｔ＝４８Ｖ）に到達するまでの所要時間の最小単位速度を設定する。すなわち、最小時間ごとに増加するＤ／Ａ変換器４３の値を設定する。昇圧電圧の最小単位速度を設定すると、次に、昇圧動作を開始する（Ｓ９５）。ここでは、Ｄ／Ａ変換器４３および昇圧回路４１等によって電池電圧Ｖｉｎの昇圧動作を開始する。
【００７１】
次に、設定した最小単位速度で昇圧電圧を可変する（Ｓ９７）。ここでは、昇圧動作において、Ｄ／Ａ変換器４３の出力電圧と給電電圧Ｖｏｕｔとは、反比例の関係となる。すなわち、Ｄ／Ａ変換器４３の出力電圧が減少するとき、給電電圧Ｖｏｕｔは上昇する。上述したように、本実施形態においては、例えば、０．３Ｖ／ＬＳＢ（最小単位電圧）を１４ｍｓ／ＬＳＢ（最小単位速度）で可変制御すると、所要時間として約２秒で昇圧目標電圧（Ｖｏｕｔ＝４８Ｖ）に到達する。
【００７２】
設定した最小単位速で昇圧電圧を可変すると、次に、給電電圧Ｖｏｕｔが目標昇圧電圧４８Ｖに達したか否かの判定を行う（Ｓ９９）。この判定の結果、目標昇圧電圧に達していなかった場合には、ステップＳ９７に戻り、昇圧動作を続行する。一方、目標昇圧電圧に達した場合には、元のフローに戻る。
【００７３】
図１０（ａ）は、Ｖｉｎ⇒４８Ｖ電圧可変処理を実行する際の給電電圧Ｖｏｕｔの出力の変化を示すタイムチャートである。最小単位速度が異なると、異なるカーブで給電電圧Ｖｏｕｔが上昇する。例えば、最小単位速度が大きいカーブ１００の場合には、時間Ｔ１で目標昇圧電圧である４８Ｖに達し、最小単位速度が小さいカーブ１０２の場合には、時間Ｔ２で目標昇圧電圧に達する。従って、最小単位速度を変化させることにより、目標昇圧電圧までに達する時間が変化するので、マイクアンプ２１等の特性を考慮して、最小単位速度を適宜設定すればよい。
【００７４】
次に、ステップＳ８７（図６参照）における４８Ｖ⇒Ｖｉｎ電圧可変処理の動作について、図８に示すフローチャートを用いて、図２および図３を参照しながら説明する。Ｖｉｎ⇒４８Ｖ電圧可変処理を開始すると、まず昇圧電圧の最小単位速度の設定を行う（Ｓ１１１）。図７に示したＶｉｎ⇒４８Ｖ電圧可変処理では、電池電圧Ｖｉｎから昇圧目標電圧である４８Ｖに向けて昇圧したが、図８では、開始電圧４８Ｖから目標とする電池電圧Ｖｉｎに向けて給電電圧Ｖｏｕｔを少しずつ下げていく。このステップでは、開始電圧（Ｖｏｕｔ＝４８Ｖ）から目標電圧（Ｖｏｕｔ≒Ｖｉｎ）に到達するまでの所要時間の最小単位速度を設定する。
【００７５】
続いて、設定した最小単位速度で昇圧電圧を可変する（Ｓ１１３）。ここでは、ステップＳ１１１において設定した最小単位速度で、目標とする電池電圧Ｖｉｎに向けて、昇圧回路４１およびＤ／Ａ変換器４３等が、徐々に給電電圧Ｖｏｕｔを下げていく。図１０（ａ）に示すように、設定された最小単位速度が大きいカーブ１００の場合には、比較的早く電池電圧Ｖｉｎまで低下するが、設定された最小単位速度が小さいカーブ１０２の場合には、電池電圧Ｖｉｎまで低下するのに、カーブ１００の場合に比較し時間がかかる。
【００７６】
続いて、給電電圧Ｖｏｕｔが目標とする電池電圧Ｖｉｎと略等しいか（Ｖｏｕｔ≒Ｖｉｎ）否かを判定する（Ｓ１１５）。この判定の結果、給電電圧Ｖｏｕｔが目標の電池電圧Ｖｉｎに達していなかった場合には、ステップＳ１１３に戻り、昇給電電圧Ｖｏｕｔを最小単位速度で低下させる。一方、判定の結果、給電電圧Ｖｏｕｔが目標の電池電圧Ｖｉｎに達した場合には、昇圧動作を停止し（Ｓ１１７）、元のフローに戻る。
【００７７】
このように、本発明の一実施形態においては、マイクプリアンプ２１に供給する給電電圧Ｖｏｕｔを、略一定時間間隔で連続的に目標電圧まで増加、もしくは減少させている。このため、外部マイクに過渡応答電圧が重畳することを抑制でき、録音音質を向上させることができる。
【００７８】
次に、図７に示した本発明の一実施形態に係わるＶｉｎ⇒４８Ｖ電圧可変処理のフローの変形例を、図９に示すＶｉｎ⇒４８Ｖ又は２４Ｖ電圧可変処理のフローを用いて説明する。本変形例は、図７のフローに外部マイク４７（マイク２０）の種類に応じて、目標とする昇圧電圧を４８Ｖまたは２４Ｖに切換えるようにしている。すなわち、外部マイク４７によって消費電流が大きいものと小さいものがあり、消費電流が小さい外部マイク４７では、給電電圧Ｖｏｕｔは２４Ｖあれば十分である。そこで、本変形例においては、図７に示したフローにステップＳ１０１〜Ｓ１０９を追加している。このため、ステップＳ９１〜Ｓ９９についての説明を省略し、追加したステップＳ１０１〜Ｓ１０９について説明する。
【００７９】
ステップＳ９９における判定の結果、給電電圧Ｖｏｕｔが目標とする４８Ｖに達すると、次に、外部マイク消費電流Ｉｐｔｍを検出する（Ｓ１０１）。この検出は、昇圧回路４１の後段に接続した出力電流検出回路４２によって、外部マイク４７（外部マイク２０）の消費電流Ｉｐｔｍを検出する。すなわち、図３から分かるように、外部マイク４７の消費電流Ｉｐｔｍは、給電分配回路４６内のダイオードＤｐｔｍおよびローパスフィルタ回路４５を流れる電流と同じであり、この電流は出力電流検出回路４２から出力される。従って、出力電流検出回路４２によって、外部マイク４７の消費電流Ｉｐｔｍを検出することができる。
【００８０】
外部マイク消費電流Ｉｐｔｍを検出すると、次に、検出された消費電流Ｉｐｔｍが判定電流Ｉｍｉｃよりも小さいか（Ｉｐｔｍ＜Ｉｍｉｃ）否かを判定する（Ｓ１０３）。この判定電流Ｉｍｉｃは、外部マイク４７の給電電圧Ｖｏｕｔとして、４８Ｖが適切かまたは２４Ｖが適切かを判定できる程度であればよい。本変形例においては、例えば、７．０ｍＡ程度とする。
【００８１】
ステップＳ１０３における判定の結果、外部マイク消費電流Ｉｐｔｍが判定電流Ｉｍｉｃよりも大きかった場合には、給電電圧Ｖｏｕｔとしては４８Ｖが適切であることから、電圧可変処理を終了し、元のフローに戻る。
【００８２】
一方、ステップＳ１０３における判定の結果、外部マイク消費電流Ｉｐｔｍが判定電流Ｉｍｉｃよりも小さかった場合には、次に、昇圧電圧の最小単位速度の設定を行う（Ｓ１０５）。外部マイク消費電流Ｉｐｔｍが判定電流Ｉｍｉｃよりも小さいことから、ファントム電源用昇圧回路４０の消費電力抑制を考慮して、２４Ｖ系に切換える。この切換えは、給電分配回路４６中のＦＥＴ１、ＦＥＴ２を制御する信号ＣＮＴｐｔｍＬと、ＦＥＴ３、ＦＥＴ４を制御する信号ＣＮＴｐｔｍＲによって行う。このときの昇圧目標電圧（Ｖｏｕｔ＝２４Ｖ）に到達するまでの所要時間の最小単位速度は、ステップＳ９３において設定した最小単位速度をそのまま用いてもよく、また、新たな最小単位速度を設定し、昇圧目標電圧到達までの所要時間を変更してもよい。
【００８３】
最小単位速度を設定すると、ステップＳ９７と同様に、設定した最小単位速度で昇圧電圧を可変する（Ｓ１０７）。ただし、ステップＳ９７では、電池電圧Ｖｉｎから目標とする４８Ｖまで昇圧していたが、このステップＳ１０７では、４８Ｖから２４Ｖに向けて、徐々に昇圧電圧を低下させていく。
【００８４】
ステップＳ１０７において昇圧電圧を可変すると、次に、給電電圧Ｖｏｕｔが２４Ｖに到達したか否かを判定する（Ｓ１０９）。この判定の結果、２４Ｖに到達していない場合には、ステップＳ１０７に戻り、徐々に昇圧電圧を低下させていく。一方、判定の結果、給電電圧Ｖｏｕｔが２４Ｖに到達すると、電圧可変処理を終了し、元のフローに戻る。
【００８５】
図１０（ｂ）は、Ｖｉｎ⇒４８Ｖ又は２４Ｖ電圧可変処理を実行する際の給電電圧Ｖｏｕｔの出力の変化を示すタイムチャートである。外部マイクの消費電流Ｉｐｔｍに応じて、給電電圧Ｖｏｕｔが異なる。例えば、消費電流Ｉｐｔｍが判定電流Ｉｍｉｃよりも大きい場合には、カーブ１０４のように給電電圧Ｖｏｕｔを４８Ｖとし、一方、消費電流Ｉｐｔｍが判定電流Ｉｍｉｃよりも小さい場合には、カーブ１０６のように給電電圧Ｖｏｕｔを２４Ｖとしている。なお、図１０（ｂ）に示す例では、消費電流Ｉｐｔｍに係わらず、最小単位速度を同じにしているが、異ならせても勿論かまわない。
【００８６】
このように、本変形例においては、外部マイクの消費電流に応じて、外部マイクに給電する給電電圧Ｖｏｕｔを切換えている。図１に示した機能ブロック図を用いて説明すると、出力電流検出手段２は、昇圧手段１より給電手段５に出力される出力電流を検出しており、具体的には、出力電流検出手段２は、給電手段５、平衡型伝送路ＢＷ、および音声入力手段６を経由して昇圧手段１に環流する電流を検出する。また、制御手段４は、出力電流検出手段２の出力に基づいて、出力電圧可変手段３を制御して昇圧手段１の出力電圧の増加割合または減少割合を制御する。すなわち、制御手段４は、出力電流部２において検出された電流に基づいて、音声入力手段６への給電に際して、複数の給電電圧の中から昇圧手段１の消費電力が最小となるような給電電圧Ｖｏｕｔを選択し、出力電圧可変手段３に制御信号を出力する。このため、録音時の消費電力を最適化することができ、電池の消耗を防止することができる。
【００８７】
なお、本変形例においては、外部マイクに応じてファントム電源用昇圧回路４０を４８Ｖ系と２４Ｖ系に切換えていたが、これらの電圧系に限らず、外部マイクの特性に応じた電圧系としても勿論かまわない。また、本変形例においては、電圧系は２種類であったが、３種類以上であっても勿論かまわない。さらに、外部マイクの検知にあたっては、外部マイクの消費電流を検知することによって行っていたが、これに限らず、例えば、外部マイクとデータ通信を行い、外部マイクの種類を取得するようにしても勿論かまわない。
【００８８】
以上説明したように、本発明の一実施形態や変形例においては、音声入力手段に対して平衡型伝送路を経由して給電を行う給電手段と、昇圧手段の出力電圧を可変制御する出力電圧可変手段を制御することにより、給電手段の給電電圧を制御するようにしている。このため、音声入力手段への給電を行う際の給電電圧の時間変化を制御でき、この結果、過渡応答電圧の発生を抑制することができる。
【００８９】
なお、本発明の一実施形態や変形例においては、Ｄ／Ａ変換器による給電電圧の増加または減少は、一定時間間隔毎に行っていたが、これに限らず、給電電圧の増加または減少を一定量とし、時間間隔を可変するようにしても勿論かまわない。また、給電電圧も４８Ｖ、または４８Ｖと２４Ｖの組合せについて説明したが、これ以外の電圧でもよく、また３種類以上の電圧の組み合わせでも勿論かまわない。
【００９０】
また、本発明の一実施形態や変形例においては、音声記録再生装置として、ＩＣレコーダを用いて説明したが、これ以外にも携帯電話や携帯情報端末（ＰＤＡ：Personal Digital Assist）、ゲーム機器等と一体化された音声記録再生装置でも構わない。
【００９１】
また、特許請求の範囲、明細書、および図面中の動作フローに関して、便宜上「まず」、「次に」等の順番を表現する言葉を用いて説明したとしても、この順で実施することが必須であることを意味するものではない。
【００９２】
本発明は、上記実施形態にそのまま限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素の幾つかの構成要素を削除してもよい。さらに、異なる実施形態にわたる構成要素を適宜組み合わせてもよい。
【符号の説明】
【００９３】
１・・・昇圧部、２・・・出力電流検出部、３・・・出力電圧可変部、４・・・制御部、５・・・給電部、６・・・音声入力部、７・・・増幅部、２０・・・マイク、２１・・・マイクアンプ、２２・・・ローパスフィルタ（ＬＰＦ）、２３・・・Ａ／Ｄ変換器（ＡＤＣ）、２４・・・Ｄ／Ａ変換器（ＤＡＣ）、２５・・・ローパスフィルタ（ＬＰＦ）、２６・・・パワーアンプ（ＡＭＰ）、２７・・・スピーカ（ＳＰ）、２８・・・デジタル信号処理部（ＤＳＰ）、２９・・・システム制御部、３０・・・表示部、３１・・・操作部、３２・・・記憶部、３３・・・音声入力部、３４・・・音声出力部、３５・・・マイク専用電源部、３６・・・給電部、３７・・・平衡型ケーブル、４０・・・ファントム電源用昇圧回路、４１・・・昇圧回路、４２・・・出力電流検出回路、４３・・・Ｄ／Ａ変換器、４４・・・ＣＰＵ、４５・・・ローパスフィルタ回路（ＬＰＦ回路）、４６・・・給電分配回路、４７・・・外部マイク、４８・・・マイクケーブル、４９・・・コネクタ、５０・・・マイクプリアンプ
【図１】
0005816482.tif 000002
【図２】
0005816482.tif 000003
【図３】
0005816482.tif 000004
【図４】
0005816482.tif 000005
【図５】
0005816482.tif 000006
【図６】
0005816482.tif 000007
【図７】
0005816482.tif 000008
【図８】
0005816482.tif 000009
【図９】
0005816482.tif 000010
【図１０】
0005816482.tif 000011